(57)【要約】【課題】木質合成デッキ材を用いる場合においても、デッキ材同士の間に５ｍｍ幅の隙間を好適に形成することができるデッキ材固定金具、及び、その製造方法等を提供する。【解決手段】本発明に係るデッキ材固定金具１は、底部２と、その左右両側縁からそれぞれ垂直方向へ延在する第一垂直部３ａ、及び、第二垂直部３ｂと、それらの上端からそれぞれ左右外側方向へ延在する第一係止部４ａ、及び、第二係止部４ｂとを有し、底部２の中央位置から第一垂直部３ａ、及び、第二垂直部３ｂまで連続するように切欠部が形成され、第一垂直部３ａ、及び、第二垂直部３ｂにおける切欠部の上方に、ビスを挟持するための膨出部９ａ，９ｂがそれぞれ形成されていることを特徴としている。【選択図】図１
2020122316.tif 000002
【特許請求の範囲】
【請求項１】
底部と、その左右両側縁からそれぞれ垂直方向へ延在する第一垂直部、及び、第二垂直部と、それらの上端からそれぞれ左右外側方向へ延在する第一係止部、及び、第二係止部とを有し、
底部の中央位置から第一垂直部、及び、第二垂直部まで連続するように切欠部が形成され、
第一垂直部、及び、第二垂直部における切欠部の上方に、ビスを挟持するための膨出部がそれぞれ形成されていることを特徴とするデッキ材固定金具。
【請求項２】
第一係止部には、下向きの爪が形成されているほか、最も外側の端縁において、先端側が下方へ向かって折り曲げられた下向きフラップが形成され、
第二係止部の外側端縁には、基端部よりも下方側に位置する押圧部が形成され、押圧部の最も外側の端縁には、先端側が外側斜め上方へ向かって傾斜したテーパ部が形成されていることを特徴とする、請求項１に記載のデッキ材固定金具。
【請求項３】
第一垂直部と第二垂直部の外側面の幅寸法が４．５〜４．９ｍｍに設定されていることを特徴とする、請求項１又は請求項２に記載のデッキ材固定金具。
【請求項４】
請求項１〜３のいずれかに記載のデッキ材固定金具を製造する方法であって、
厚さ０．５±０．１ｍｍのステンレス鋼板を折り曲げて、底部、第一垂直部、第二垂直部、第一係止部、第二係止部、及び、膨出部を形成した後、焼き入れ処理を行って剛性を増大させたことを特徴とする、デッキ材固定金具の製造方法。
【請求項５】
請求項１〜３のいずれかに記載のデッキ材固定金具と、ビスと、再生木質合成デッキ材とからなるデッキ材ユニットであって、
ビスは、ネジ山の最外周部の直径が４．０〜４．７ｍｍであり、
再生木質合成デッキ材は、突出寸法が同一で、かつ、厚さ寸法が６ｍｍ以上の下顎部、及び、上顎部を両側縁にそれぞれ有していることを特徴とするデッキ材ユニット。
【発明の詳細な説明】
【技術分野】
【０００１】
本発明は、建築物のテラスやバルコニーなどの床面を構築すべくデッキ材を並べてデッキ構造物を構築する際、デッキ材を根太材等に対して固定するために用いられるデッキ材の固定金具、及び、その製造方法に関する。
【背景技術】
【０００２】
近年、デッキ構造物を構築するためのデッキ材として、建築廃材等を利用した木粉と熱可塑性樹脂とを混合して成形した再生木質合成デッキ材が広く利用されている。このような再生木質合成デッキ材を根太材等に対して固定するための器具としては、例えば、特許文献１（特開２００８−３１７５７号公報）に記載されているようなデッキ材固定具が知られている。この特許文献１に示されているデッキ材固定具はプラスチック成形品であるが、施工現場によっては、強度及び耐久性の観点から、金属製のデッキ材固定具が求められることがある。
【０００３】
金属材料によってデッキ材固定具を形成する方法としては、様々な方法が考えられるが、製造コストを考慮すると、ステンレス板等の金属板を折り曲げて形成する方法が最も現実的であると考えられる。
【先行技術文献】
【特許文献】
【０００４】
【特許文献１】特開２００８−０３１７５７号公報
【特許文献２】特開２００９−０２４４１０号公報
【特許文献３】特開２００６−１９３９７４号公報
【発明の概要】
【発明が解決しようとする課題】
【０００５】
ところで、屋外に設置されるデッキ構造物においては、通気性、通水性等を考慮して、隣り合うデッキ材同士の間に隙間を形成する必要がある。このデッキ材間の隙間は、小さすぎると十分な通気性、通水性を得ることができず、大きすぎると歩行者の靴の一部（ヒール等）が挟まったり、床下空間へ異物が容易に落下してしまうという問題があるため、５ｍｍ程度の幅寸法に設定されることが多い。
【０００６】
但し、上述したような再生木質合成デッキ材を用いるとともに、金属板を折り曲げて形成したデッキ材固定具を用いてデッキ構造体を構築する場合、デッキ材同士の間に５ｍｍ幅の隙間を形成することが困難な場合がある。
【０００７】
本発明は、このような従来技術の問題を解決しようとするものであって、木質合成デッキ材を用いる場合においても、デッキ材同士の間に５ｍｍ幅の隙間を好適に形成することができるデッキ材固定金具、及び、その製造方法を提供することを目的とする。
【課題を解決するための手段】
【０００８】
本発明に係るデッキ材固定金具は、底部と、その左右両側縁からそれぞれ垂直方向へ延在する第一垂直部、及び、第二垂直部と、それらの上端からそれぞれ左右外側方向へ延在する第一係止部、及び、第二係止部とを有し、底部の中央位置から第一垂直部、及び、第二垂直部まで連続するように切欠部が形成され、第一垂直部、及び、第二垂直部における切欠部の上方に、ビスを挟持するための膨出部がそれぞれ形成されていることを特徴としている。
【０００９】
尚、第一係止部には、下向きの爪が形成されているほか、最も外側の端縁において、先端側が下方へ向かって折り曲げられた下向きフラップが形成され、第二係止部の外側端縁には、基端部よりも下方側に位置する押圧部が形成され、押圧部の最も外側の端縁には、先端側が外側斜め上方へ向かって傾斜したテーパ部が形成されていることが好ましく、また、第一垂直部と第二垂直部の外側面の幅寸法が４．５〜４．９ｍｍに設定されていることが好ましい。
【００１０】
また、本発明に係るデッキ材固定金具の製造方法は、厚さ０．５±０．１ｍｍのステンレス鋼板を折り曲げて、底部、第一垂直部、第二垂直部、第一係止部、第二係止部、及び、膨出部を形成した後、焼き入れ処理を行って剛性を増大させたことを特徴としている。
【００１１】
更に、本発明に係るデッキ材ユニットは、上記のようなデッキ材固定金具と、ビスと、再生木質合成デッキ材とからなり、ビスは、ネジ山の最外周部の直径が４．０〜４．７ｍｍであり、再生木質合成デッキ材は、突出寸法が同一で、かつ、厚さ寸法が６ｍｍ以上の下顎部、及び、上顎部を両側縁にそれぞれ有していることを特徴としている。
【発明の効果】
【００１２】
本発明に係るデッキ材固定金具は、再生木質合成デッキ材を用いてデッキ構造体を構築する際に、二つのデッキ材の下顎部の間に配置することにより、デッキ面において約５ｍｍの隙間を形成することができ、簡単な作業のみで、デッキ材を根太材等に対してしっかりと固定することができる。
【００１３】
また、デッキ材固定金具を、原材料となる金属板をプレス加工等によって折り曲げた後、焼き入れ処理を行って製造した場合、剛性（弾性係数）が増大し、デッキ材を強固に固定することができる。
【図面の簡単な説明】
【００１４】
【図１】図１は、本発明に係るデッキ材固定金具１の正面図である。
【図２】図２は、図１のデッキ材固定金具１の斜視図である。
【図３】図３は、図１のデッキ材固定金具１の右半部のみを示す部分斜視図である。
【図４】図４は、図１のデッキ材固定金具１の使用方法（デッキ材の固定方法）の説明図である。
【図５】図５は、図１のデッキ材固定金具１の使用方法（デッキ材の固定方法）の説明図である。
【図６】図６は、図１のデッキ材固定金具１の使用方法（デッキ材の固定方法）の説明図である。
【発明を実施するための形態】
【００１５】
本発明は、「デッキ材固定金具」として実施することができるほか、その製造方法として実施することができ、更に、デッキ材固定金具と再生木質合成デッキ材とを組み合わせて「デッキ材ユニット」としても実施することができる。
【００１６】
以下、添付図面に沿って本発明に係る「デッキ材固定金具」を実施するための形態について説明する。図１は、本発明に係るデッキ材固定金具１の正面図であり、図２はその斜視図、図３はその右半部のみを示す部分斜視図である。図示されているように、このデッキ材固定金具１は、水平な底部２と、その左右両側縁からそれぞれ垂直方向へ延在する第一垂直部３ａ、及び、第二垂直部３ｂと、それらの上端からそれぞれ左右外側方向へ延在する第一係止部４ａ、及び、第二係止部４ｂとを有している。
【００１７】
また、第一係止部４ａには下向きの爪５が二つ形成されているほか、最も外側の端縁において、先端側が下方へ向かって折り曲げられた下向きフラップ６が形成されている。一方、第二係止部４ｂの外側端縁には、基端部（第二垂直部３ｂとの接続部）よりも下方側に位置する押圧部７が形成されている。尚、押圧部７の最も外側の端縁には、先端側が外側斜め上方へ向かって傾斜したテーパ部７ａが形成されている。
【００１８】
更に、底部２の中央には、ビス（図示せず）を通過させるための切欠部８（図２、図３参照）が形成されている。この切欠部８は、底部２の中央位置から、第一垂直部３ａ、及び、第二垂直部３ｂの所定の高さ位置（約３／４の高さ位置）まで連続するように形成されている。また、第一垂直部３ａ、及び、第二垂直部３ｂにおける切欠部８の上方には、ビス（図示せず）を挟持するための膨出部９ａ，９ｂがそれぞれ形成されている。これらの膨出部９ａ，９ｂの各内側面は、使用されるビスのネジ山の最外周部の直径に対応した曲率の（ビスのネジ山の直径よりも僅かに大きい）円弧状凹面となっている。
【００１９】
このデッキ材固定金具１は、プレス加工等によって金属板を折り曲げることによって形成されている。本実施形態においては、原材料として厚さ０．５ｍｍ（±０．１ｍｍ）の高耐食フェライト系ステンレス鋼板（ＳＵＳ４４３Ｊ１）が用いられている。尚、厚さ０．５ｍｍのステンレス鋼板は、弾性変形し易く、そのままでは十分な剛性（デッキ材を固定するために必要となる剛性）を得ることが難しいが、本実施形態においては、ステンレス鋼板に曲げ加工を施して、図１、図２に示すような形状に加工した後、焼き入れ処理（条件：約４２０℃、約２５分程度）を行っているため、剛性（弾性係数）が増大しており、デッキ材を強固に固定することができる。
【００２０】
ここで、本発明に係るデッキ材固定金具１を使用してデッキ材（再生木質合成デッキ材）を固定する方法について説明すると、まず図４（１）に示すように、根太材１０の上に先に配置されたデッキ材１１Ａの側縁に形成されている下顎部１２の上に、デッキ材固定金具１の第一係止部４ａを載置し、第一垂直部３ａが下顎部１２の先端に当接した状態とする。次に、ビス１４を左右の膨出部９ａ，９ｂの間に通して挟持させ、ビス１４の下端１４ａを底部２の切欠部８（図２参照）から下方側へ通過させる。尚、ビス１４を予め膨出部９ａ，９ｂ間に挟持させた状態のデッキ材固定金具１を、デッキ材１１Ａの下顎部１２の上に載置するようにしてもよい。
【００２１】
この状態から、ビス１４を根太材１０に打ち込んで仮留めする。尚、仮留めの際は、図４（２）に示すように、デッキ材固定金具１の底部２が根太材１０の上面から２ｍｍ程度上方となる位置で、ビス１４の打ち込みを停止する。尚、本実施形態のデッキ材固定金具１において、ビス１４を締め付けると、図４（２）に示すように、ビス１４の頭部が第一係止部４ａ及び第二係止部４ｂに当接して上方から押さえ付ける形となり、第一係止部４ａ及び第二係止部４ｂに上向きの力が作用した場合でも、それらの上方への変位を好適に抑制することができる。
【００２２】
続いて図５に示すように、もう一方のデッキ材１１Ｂの下顎部１２を、デッキ材固定金具１の第二係止部４ｂの下側のスペース（図５において破線で示す位置）に進入させ、デッキ材固定金具１の第二垂直部３ｂに当接させる。このとき、デッキ材固定金具１の押圧部７が、下顎部１２の進入に干渉する位置にある場合でも、第二係止部４ｂの外側端縁にはテーパ部７ａが形成されているため、下顎部１２を円滑に進入させることができる。
【００２３】
最後に、二つのデッキ材１１Ａ，１１Ｂの上顎部１３の隙間からドライバーを差し込み、デッキ材固定金具１の底部２が根太材１０に当接するまで、ビス１４をしっかりと締め付ける。そうすると、図６に示すようにデッキ材１１Ａ，１１Ｂの下顎部１２が、第一係止部４ａ及び第二係止部４ｂによって根太材１０側へ強く押し付けられた状態となり、デッキ材１１Ａ，１１Ｂを根太材１０に対してしっかりと固定することができる。また、デッキ材１１Ａの下顎部１２に対しては、図示されているようにデッキ材固定金具１の爪５が食い込んだ形となり、デッキ材１１Ａの長手方向への移動を好適に阻止することができる。
【００２４】
図１に示すデッキ材固定金具１は、第一垂直部３ａと第二垂直部３ｂの外側面の幅寸法ｗ１（第一垂直部３ａの外側面から第二垂直部３ｂの外側面までの寸法）が４．７ｍｍ（好ましくは４．５〜４．９ｍｍ）に設定されているため、図６に示すように二つのデッキ材１１Ａ，１１Ｂの下顎部１２の間に配置すると、それらの間隔を約５ｍｍとすることができ、下顎部１２と上顎部１３の突出寸法が同一のデッキ材１１Ａ，１１Ｂを用いてデッキ構造体を構築する場合、デッキ面において（デッキ材１１Ａ，１１Ｂ上顎部１３の間に）約５ｍｍの隙間を形成することができる。
【００２５】
また、デッキ材１１Ａ，１１Ｂとして再生木質合成デッキ材を使用する場合、デッキ材固定金具１によって固定される下顎部１２の厚さ寸法は、強度上の観点から６ｍｍ（より好ましくは８ｍｍ）以上に設定すべきであるところ、デッキ材固定金具１においては、底部２が根太材１０に当接した状態で、第一係止部４ａ及び第二係止部４ｂを押さえることができるように、第一垂直部３ａ及び第二垂直部３ｂは、下顎部１２の厚さ寸法に対応した高さ寸法を有していることが必要である。
【００２６】
また、デッキ材固定金具１を固定するビス１４としては、デッキ構造体の強度を考慮すると、少なくとも直径（ネジ山の最外周部の直径）が４ｍｍ以上（４．０〜４．７ｍｍ）のものを使用することが望まれるところ、図１のデッキ材固定金具１は、原材料として厚さ寸法が０．５ｍｍのステンレス鋼板が用いられているため、第一垂直部３ａと第二垂直部３ｂの間の寸法ｗ２（第一垂直部３ａの内側面から第二垂直部３ｂの内側面までの寸法）が３．７ｍｍとなっており、また、デッキ材固定金具１におけるビス１４の挿通位置（底部２、第一垂直部３ａ、及び、第二垂直部３ｂ）には、切欠部８が形成されるとともに、その上方には、ビス１４の直径に対応した曲率の円弧状凹面を有する膨出部９ａ，９ｂがそれぞれ形成されているため、直径４．０〜４．７ｍｍのビス１４を問題なく挿通し、挟持させることができる。
【００２７】
また、このデッキ材固定金具１を用いて固定するデッキ材としては、下顎部１２において上向きの（その奥側部分よりも上方へ突出した）係止突条１２ａ（図６参照）が形成されているものを用いることが好ましく、この場合、押圧部７が係止突条１２ａに係合することにより、デッキ材１１Ｂの脱落を好適に防止することができ、十分な構造強度を有するデッキ構造体を構築することができる。
【符号の説明】
【００２８】
１：デッキ材固定金具、
２：底部、
３ａ：第一垂直部、
３ｂ：第二垂直部、
４ａ：第一係止部、
４ｂ：第二係止部、
５：爪、
６：下向きフラップ、
７：押圧部、
７ａ：テーパ部、
８：切欠部、
９ａ，９ｂ：膨出部、
１０：根太材、
１１Ａ，１１Ｂ：デッキ材、
１２：下顎部、
１２ａ：係止突条、
１３：上顎部、
１４：ビス、
１４ａ：下端、
【図１】
2020122316.tif 000003
【図２】
2020122316.tif 000004
【図３】
2020122316.tif 000005
【図４】
2020122316.tif 000006
【図５】
2020122316.tif 000007
【図６】
2020122316.tif 000008